(57)【特許請求の範囲】
【請求項１】
通信リンクのリンク品質を繰り返し測定し、リンク品質メトリックを生成する品質測定ユニット、及び
該品質測定ユニットから該リンク品質メトリックを与えられ、該測定したリンク品質の変化を決定し、差分リンク品質インディケータを生成する差分分析器、ここで、該リンク品質メトリックは第１のコーディングを用いて基地局に送信され、及び該差分リンク品質インディケータはリンク品質を指示するためにコーディングなしで又はわずかな第２のコーディングを用いて基地局に送信される、
ここで、「わずかな」は、第１のコーディングに比したものである、
を具備する遠隔局装置。
【請求項２】
該リンク品質は受信信号のキャリア対干渉として測定される、請求項１の遠隔局。
【請求項３】
該遠隔局はセクタカバーを該リンク品質メトリックに適用する、請求項２の遠隔局。
【請求項４】
ワイアレス通信システムにおいて、
第１のレートでリンク品質メッセージを生成すること、ここで、該リンク品質メッセージは通信リンクの品質に関する情報を与えそして第１のコーディングを用いて基地局に送信される、及び
第２のレートで差分インディケータを生成すること、ここで、該差分インディケータは該通信リンクの該品質の変化を指示しそしてコーディングなしで又はわずかな第２のコーディングを用いて基地局に送信される、ここで、該第２のレートは該第１のレートより大きい、また、ここで、「わずかな」は、第１のコーディングに比したものである、
を具備する方法。
【請求項５】
各リンク品質メッセージは受信機における受信信号のキャリア対干渉情報を含む、請求項４の方法。
【請求項６】
該受信信号はパイロット信号である、請求項５の方法。
【請求項７】
各差分インディケータは少なくとも１ビットである、請求項４の方法。
【請求項８】
差分インディケータを生成することは、
測定したリンク品質を予想したリンク品質と比較すること、
該測定したリンク品質が該予想したリンク品質より低い場合、減少インディケータとして該差分インディケータを生成すること、
該測定したリンク品質が該予想したリンク品質より高い若しくは等しい場合、増加インディケータとして該差分インディケータを生成すること、及び
該差分インディケータに基づいて該予想したリンク品質を調節すること、及び
該差分インディケータを基地局に送信すること、
をさらに具備する、請求項４の方法。
【請求項９】
音声通信及びパケットスイッチされた通信を処理するワイアレス通信システムにおいて、
逆方向リンクにおける信号を受信する働きをする受信回路系、ここで、該受信信号は第１のコーディングを用いて送信されたリンク品質メッセージ及びコーディングなしで又はわずかな第２のコーディングを用いて送信された差分インディケータを含む、ここで、
該リンク品質メッセージは順方向リンクのリンク品質メトリックを定期的に与える、ここで、該差分インディケータは連続する複数の該リンク品質メッセージ間の該リンク品質メトリックを追跡する、
ここで、「わずかな」は、第１のコーディングに比したものである、
該逆方向リンクにおいて受信されたリンク品質メッセージを記憶する働きをするメモリ記憶ユニット、及び
該差分インディケータに応じて該メモリ記憶ユニット中に記憶された該リンク品質メッセージを更新する働きをする差分分析器、
を具備する基地局。
【請求項１０】
該メモリ記憶ユニット中に記憶された該リンク品質メッセージに応じて該システム中のパケットスイッチされた通信をスケジュールする働きをするスケジューラユニット、をさらに具備する、請求項９の基地局。
【請求項１１】
該リンク品質メトリックはデータレート制御メッセージにマッピングされる、請求項１０の基地局。
【請求項１２】
各データレート制御メッセージは、データレート制御テーブル中の１つの記載事項に対応する、
各差分インディケータは該データレート制御テーブル中の隣接する記載事項を指し示す、請求項１１の基地局。
【請求項１３】
音声通信及びパケットスイッチされた通信を処理するワイアレス通信システムにおいて、
データレート制御メッセージ及び関連する送信情報をリストするデータレート制御テーブル、
該データレート制御テーブルに接続されたデータレート計算ユニット、ここで、該データレート計算ユニットは通信リンクの品質を示すリンク品質メトリックに応じてそして
トランシーバにおいて受信された信号に基づいて決定される該データレート制御メッセージを選択する働きをする、及び
該データレート計算ユニットに接続され、該選択されたデータレート制御メッセージに対応する該データレート制御テーブル中の次の記載事項を指し示す差分インディケータを生成する働きをする差分分析器、ここで、該データレート制御メッセージは第１のコーディングを用いて、そして該差分インディケータはコーディングなしで又はわずかな第２のコーディングを用いてデータ送信の送信機へと送信される、
ここで、「わずかな」は、第１のコーディングに比したものである、
を具備するトランシーバ。
【請求項１４】
該差分リンク品質インディケータは、該測定したリンク品質に対して１回設定される予想したリンク品質に基づいて生成される、請求項１の遠隔局。
【請求項１５】
該リンク品質メトリック及び該差分リンク品質インディケータは、２つの異なるチャネル上に送られる、請求項１の遠隔局。
【請求項１６】
該リンク品質メトリック及び該差分リンク品質インディケータは、時間でオーバーラップして送られる、請求項１の遠隔局。
【請求項１７】
該リンク品質メトリックは、第１の時間の期間において送られ、そして該差分リンク品質インディケータは、該第１の時間の期間よりも短い第２の時間の期間において送られる、請求項１の遠隔局。
【発明の詳細な説明】
【技術分野】
【０００１】
本方法及び装置は、一般に通信に係わり、さらに詳しくは、ワイアレス通信システムにおいてリンク品質フィードバックを提供することに関する。
【背景技術】
【０００２】
ワイアレスデータ送信に対して増加する要求及びワイアレス通信技術を介して利用できるサービスの拡大は、音声及びデータを取り扱うことができるシステムを開発に導いた。これら２つのサービスの様々な要求を取り扱うために設計された１つのスペクトル拡散システムは、ｃｄｍａ２０００と称される符号分割多元接続、ＣＤＭＡ、システムであり、それは“ｃｄｍａ２０００スペクトル拡散システムに関するＴＩＡ／ＥＩＡ／ＩＳ−２０００標準”に明記されている。ｃｄｍａ２０００の強化は、これに代わる種類の音声及びデータシステムと同様に、開発中である。
【０００３】
送信されるデータの量及び送信の回数が増加するにつれ、高周波送信に対して利用可能なバンド幅の限定が、決定的なリソースになっている。それゆえ、利用可能なバンド幅の使用を最適化する通信システムにおいて、情報を送信する効率的かつ正確な方法に対する要求がある。
【発明の開示】
【サマリー】
【０００４】
ここに開示された実施例は、通信リンクのリンク品質を繰り返し測定するための品質測定ユニット、及び測定したリンク品質の変化を決定するための差分分析器を有する遠隔局装置を提供することにより、上記の要求に対処する。
【０００５】
１つの観点では、音声通信及びパケットスイッチされた通信を処理するワイアレス通信システムにおいて、トランシーバは、データレート制御メッセージ及び関連した送信情報をリストするデータレート制御テーブル、データレート制御テーブルに接続されたデータレート計算ユニット、データレート計算ユニットはトランシーバにおいて受信された信号に応じてデータレート制御メッセージを選択する働きをする、及びデータレート計算ユニットに接続され、データレート制御テーブル中の次の記載事項（entry）を指し示す差分インディケータを生成する働きをする差分分析器、を含む。
【０００６】
他の観点では、ワイアレス通信システムにおいて、ある方法は、第１の周波数において品質メッセージ(quality message)を生成すること、ここで、品質メッセージは通信リンクの品質に関する情報を与え、及び第２の周波数において差分インディケータ(differential indicator)を生成すること、ここで、差分インディケータは通信リンクの品質の変化を指示する、ここで、第２の周波数は第１の周波数より大きい、を含む。
【詳細な説明】
【０００７】
用語“具体例の(exemplary)”は、ここでは“例、実例、若しくは例証として働く”という意味で広く使用される。“具体例の”としてここで説明されるいかなる実施例も、他の実施例に対して好ましい若しくは優位であると解釈される必要性はない。
【０００８】
ｃｄｍａ２０００システムのような、スペクトル拡散ワイアレス通信システムにおいて、複数のユーザが、同時に同一のバンド幅においてあるトランシーバに、多くの場合ある基地局に、送信する。基地局は、ワイアレスチャネルを介して、若しくは有線チャネル、例えば、光ファイバー若しくは同軸ケーブルを使用する、を介して通信するいずれかのデータ装置であり得る。ユーザは、以下に記すいずれかの種々の移動及び／若しくは固定装置であり得て、ＰＣカード、コンパクトフラッシュ（登録商標）、外付け若しくは内蔵モデム、あるいはワイアレス若しくは有線電話を含むが、これらに限定されることはない。ユーザは、遠隔局とも言われる。代わりのスペクトル拡散システムは、パケットスイッチされたデータサービス、ワイドバンド−ＣＤＭＡ、Ｗ−ＣＤＭＡ、システム、第三世代パートナーシッププロジェクト、３ＧＰＰ、により明記されたようなシステム、第三世代パートナーシッププロジェクトツー、３ＧＰＰ２、により明記されたような音声及びデータシステムを、含むことに注意する。
【０００９】
それを介してユーザが信号をトランシーバに送信する通信リンクは、逆方向リンク、ＲＬ、と呼ばれる。それを介してトランシーバが信号をユーザに送る通信リンクは、順方向リンク、ＦＬ、と呼ばれる。各ユーザが基地局に送信し、そこから受信するように、他のユーザは、基地局と同時に通信している。ＦＬ及び／若しくはＲＬにおける各ユーザの送信は、他のユーザに干渉を引き起こす。受信信号の干渉を克服するために、復調器は、許容されるエラー発生率で信号を復調するために、ビットエネルギー対干渉出力スペクトル密度の十分な比、Ｅｂ／Ｎ０、を維持しようとする。出力制御、ＰＣ、は、所定のエラー基準を満足させるために、順方向リンク、ＦＬ、及び逆方向リンク、ＲＬ、の一方若しくは両方の送信機出力を調節するプロセスである。理想的には、出力制御プロセスは、指定された受信機において、少なくとも最小の要求されるＥｂ／Ｎ０を達成するために送信機出力を調節する。さらに、最小のＥｂ／Ｎ０より大きい出力を使用する送信機がないことが望ましい。出力制御プロセスを通して達成した１のユーザに対するいかなる利点も、他のいかなるユーザの不必要な犠牲がないことを、保証する。
【００１０】
各送信機は、他のユーザに最低量の干渉を引き起こすだけであり、それゆえ処理利得を増加させることを確実にすることによって、出力制御は、システムの能力に影響を及ぼす。処理利得は、送信バンド幅、Ｗ、のデータレート、Ｒ、に対する比である。Ｅｂ／Ｎ０のＷ／Ｒに対する比は、信号対ノイズ比、ＳＮＲに対応する。処理利得は、他のユーザからの有限な量の干渉、即ち全ノイズ、を克服する。それゆえ、システム能力は、処理利得及びＳＮＲに比例する。データに関して、フィードバック情報は、リンク品質測定値として受信機から送信機に供給される。フィードバックは、理想的には低待機時間の高速送信である。
【００１１】
出力制御は、ある環境の中でコンディションの変化に順応するためのシステムを容認する。変化するコンディションが、通信リンクの品質に影響を及ぼすので、送信パラメータは、変化に適応するように調節される。このプロセスは、リンク順応と言われる。リンク順応にとって、システムのコンディションを可能な限り正確に、かつ迅速に追跡することが好ましい。
【００１２】
ある実施例にしたがって、リンク順応は、通信リンクの品質により制御される。ここで、リンクのＳＮＲは、リンクを評価するための品質メトリック(quality metric)を与える。リンクのＳＮＲは、受信機において、キャリア対干渉、Ｃ／Ｉ、の関数として測定されることができる。音声通信に関して、出力を増加させる若しくは減少させることのいずれかを、送信機に指示する出力制御命令を与えるために、品質メトリックＣ／Ｉは、使用されることができる。“ＴＩＡ−８５６  ｃｄｍａ２０００高レートパケットデータ空間インターフェース仕様”に明記されたようにＨＤＲシステムのようなパケットデータ通信に対して、３ＧＰＰ，及び３ＧＰＰ２データ通信は、複数のユーザ間でスケジュールされる。ここで、いずれの所定時間においても、ただ一人のユーザがアクセスネットワーク若しくは基地局からデータを受信する。パケットスイッチされたデータシステムでは、ＳＮＲ及び／若しくはＣ／Ｉのような、品質メトリック測定値は、適正なデータレートの決定の際に、エンコーディングの際に、変調の際に、及びデータ通信のスケジューリング際に、基地局若しくはアクセスネットワーク送信機に価値のある情報を供給することができる。それゆえ、遠隔局から基地局に品質メトリックを効率的に供給することは利点がある。
【００１３】
図１は、ワイアレス通信システム２０の一実施例を図示する。ここで、システム２０は、音声及びデータ送信ができるスペクトル拡散ＣＤＭＡシステムである。システム２０は、２つの部分、有線サブシステム及びワイアレスサブシステム、を含む。有線サブシステムは、パブリックスイッチト電話ネットワーク(Public Switched Telephone Network)、 ＰＳＴＮ２６、及びインターネット２２である。有線サブシステムのインターネット２２部分は、インターワーキングファンクションインターネット(Inter-Working Function Internet)、ＩＷＦ２４、を介してワイアレスサブシステムとインターフェースする。データ通信に対して増加し続ける要求は、代表的にはインターネット及びそれにより利用できるデータに簡単にアクセスできることに関係する。しかしながら、ビデオ及びオーディオの応用が発達するにつれ、送信バンド幅に対する要求が増加する。
【００１４】
有線サブシステムは、インスツルメンテーションユニット(instrumentation unit)、ビデオユニット、等のような他のモジュールを含むことができるが、これに限定されることはない。ワイアレスサブシステムは、基地局サブシステムを含む。基地局サブシステムは、モービルスイッチングセンタ(Mobile Switching Center)、ＭＳＣ２８、基地局コントローラ、ＢＳＣ３０、基地トランシーバ局、ＢＴＳ３２，３４、及び移動局、ＭＳ３６，３８を含む。ＭＳＣ２８は、ワイアレスサブシステムと有線サブシステムとの間のインターフェースである。それは、種々のワイアレス機器と会話をするスイッチである。ＢＳＣ３０は、１若しくはそれより多くのＢＴＳ３２，３４に対する制御及び管理システムである。ＢＳＣ３０は、ＢＴＳ３２，３４及びＭＳＣ２８とメッセージを交換する。ＢＴＳ３２，３４のそれぞれは、単一の場所に設置された１若しくはそれより多くのトランシーバからなる。ＢＴＳ３２，３４のそれぞれは、ネットワーク側の高周波経路の終端である。ＢＴＳ３２，３４は、ＢＳＣ３０と同じ場所に位置できる、若しくは個別に位置できる。
【００１５】
システム２０は、ＢＴＳ３２，３４とＭＳ３６，３８との間の高周波エアーインターフェース物理チャネル(radio air interface physical channel)４０，４２を含む。物理チャネル４０，４２は、デジタルコーディング及びＲＦ特性の観点から記述される通信経路である。
【００１６】
上記で論じられたように、ＦＬは、ＢＴＳ３２，３４の１つからＭＳ３６，３８の１つへの送信のための通信リンクとして定義される。ＲＬは、ＭＳ３６，３８の１つからＢＴＳ３２，３４の１つへの送信のための通信リンクとして定義される。ある実施例によれば、システム２０中の出力制御は、ＲＬ及びＦＬの両者に対する送信出力を制御することを含む。多重出力制御メカニズムは、システム２０の中のＦＬ及びＲＬに適用されることができ、逆方向開ループ出力制御、逆方向閉ループ出力制御、順方向閉ループ出力制御、等を含む。逆方向開ループ出力制御は、ＭＳ３６，３８の初期アクセスチャネル送信出力を調節し、ＲＬの経路損失減衰のバラツキを補償する。ＲＬは、２種類のコードチャネル、トラヒックチャネル(traffic channel)及びアクセスチャネル、を使用する。
【００１７】
図２は、一実施例にしたがった図１のシステム２０のＲＬの構造を図示する。ＲＬ即ち逆方向チャネルは、２種類の論理チャネル：アクセス及びトラヒック、から構成される。各論理チャネルは、ＢＴＳ３２，３４若しくはＭＳ３６，３８のいずれかのプロトコルレイヤ(protocol layer)中の通信経路である。情報は、ユーザの数、送信タイプ、送信の方向、等のような基準に基づいて論理チャネル上にグループ化される。論理チャネルの情報は、最終的には１若しくはそれより多くの物理チャネル上で搬送される。マッピングは、論理チャネル及び物理チャネル間で決められる。このマッピングは、恒久的であって良いし、若しくは所定の通信の期間だけ決められて良い。
【００１８】
データサービスに関して、遠隔局はアクセスターミナル、ＡＴ、と呼ばれることができることに注意する。ここで、ＡＴは、ユーザにデータの接続性を与える装置である。ＡＴは、ラップトップパーソナルコンピュータのような計算機器に接続されてもよいし、若しくはパーソナルデジタルアシスタント(personal digital assistant)のような内蔵型のデータ機器であってもよい。さらに、基地局は、アクセスネットワーク、ＡＮ、と呼ばれることができる。ここで、ＡＮは、インターネットのようなパケットスイッチされたデータネットワークと少なくとも１のＡＴとの間のデータ接続性を与えるネットワーク装置である。逆方向アクセスチャネルは、トラヒックチャネルが割り当てられない場合、ＡＮと通信するためにＡＴにより使用される。ある実施例では、ＡＮの各セクタに対して別々の逆方向アクセスチャネルがある。
【００１９】
図２を続けると、トラヒックチャネルは、３つの論理チャネル、差分インディケータ(differential indicator)、リンク品質インディケータ(link quality indicator)、及びデータ、から構成される。リンク品質インディケータは、ＦＬパイロットチャネルの品質のある尺度を与える。ある実施例は、リンク品質メトリックとしてキャリア対干渉、Ｃ／Ｉ、を使用する。ここで、遠隔局は、所定の期間を有する複数の時間に渡ってＦＬパイロットチャネルのＣ／Ｉを測定する。リンク品質インディケータは、ＲＬにおける基地局への定期的な送信のためにエンコードされる。エンコーディングは、カバーの応用を含むことができる。ここで、特定のカバーが、測定されたパイロット信号のセクタに対応して適用される。エンコードされたリンク品質インディケータは、“品質メッセージ”と言われる。代わりの実施例は、リンク品質インディケータを決定する他の手段を与えることができ、そしてリンク品質に対応する他のメトリックを与えることができる。さらに、品質メトリック測定値は、他の受信信号に適用されることができる。Ｃ／Ｉ測定値は、しばしばｄＢ単位で表される。
【００２０】
具体例の実施例では、リンク品質メッセージは、ＲＬにおける利用可能なバンド幅に与える影響を小さくするために、比較的低い待機時間で定期的に決定され、送信される。ある実施例では、リンク品質メッセージは、２０ミリ秒に１回送信される。さらに、リンク品質インディケータが送信されなかった場合、差分インディケータは、ＲＬにおいて基地局に送信される。ある実施例では、差分インディケータは、１．２５ミリ秒毎に送られる。図２に図示されたように、トラヒックチャネルは、差分インディケータサブチャネルをさらに含む。リンク品質インディケータ及び品質メッセージとは対照的に、差分インディケータは、ＦＬパイロットチャネルの品質の相対的な変化の指標であり、それは、より頻繁に送られる。差分インディケータを決定するために、比較は、ＦＬパイロット信号の連続するＣ／Ｉ測定値に行われる。比較の結果は、変化の方向を指示する１ビット若しくは複数ビットとして送信される。例えば、ある実施例にしたがえば、連続するＣ／Ｉ測定値における増加に対して、差分インディケータは正であり、連続するＣ／Ｉ測定値における減少に対して、差分インディケータは負である。差分インディケータは、わずかなコーディング若しくはコーディングなしで送信される。それゆえ、早い、効率的な、低待機時間のフィードバック方法を与える。差分インディケータは、ＦＬの状態について基地局に継続して早いフィードバックを提供する。フィードバックは、ＲＬを介して送られる。一般的にＣ／Ｉ測定値とは反対の極性を有する出力制御命令とは対照的に、品質メッセージ及び差分インディケータがＣ／Ｉ測定値を追跡することに注意する。
【００２１】
差分インディケータの使用は、Ｃ／Ｉ全体を送信することの必要性を取り除く。ここで、差分インディケータは、最後に予想した値に対する比較の増加分を与える。ある実施例にしたがった差分インディケータは、ＵＰ（＋１ｄＢ）若しくはＤＯＷＮ（−１ｄＢ）インディケータである。代わりの実施例にしたがえば、同一方向にある連続するステップは、第１のＵＰ（＋１ｄＢ）、第２のＵＰ（＋２ｄＢ）等のような、増加する値を有する。さらに他の実施例では、差分インディケータは、複数ビットを含む。ここで、そのビットは、変化の方向及び量を認識するために重要性を有する。フェージングチャネル(fading channel)は、継続するプロセスであるため、Ｃ／Ｉは、継続するプロセスであり、それゆえ、そのような位相差信号化技術(differential signaling technique)を用いて追跡できる。この差分メッセージ(differential message)が全Ｃ／Ｉメッセージよりはるかに小さいので、エンコード、送信、及びデコードするために時間がかからないばかりでなく、逆方向リンクにおけるエネルギーも少ない。これは、ＦＬ性能が改善されるだけでなく、ＲＬ負荷も減少することを意味する。品質メッセージの定期的な送信は、基地局と遠隔局との間の同期問題を防止する及び／若しくは訂正する。例えば、遠隔局が、０ｄＢのＣ／Ｉ測定値に対応する初期品質メッセージを有すると考える。遠隔局は、リンク品質を継続的に測定し、各々が１ｄＢの増加分に対応する３つの差分インディケータを送信することを続行する。このようにして、遠隔局は、予想したＣ／Ｉを３ｄＢと計算する。基地局は、２つの差分インディケータを正確にデコードでき、３番目についてデコードエラーを有する。それゆえ、基地局は、予想したＣ／Ｉを２ｄＢと計算する。この時点で、遠隔局及び基地局は、同期していない。エンコードされた品質メッセージの次の送信は、信頼できる方法で送信され、同期の不一致を修正する。このようにして、品質メッセージは、基地局及び遠隔局を再び同期させる。ある実施例では、品質メッセージは、非常に強力な（５，２４）ブロックコードを使用してエンコードされ、インターリーブされ、２０ｍｓ以上にわたり送信される。品質メッセージが、いずれかの同期エラーを修正するために使用されることに注意する。同期エラーは、差分インディケータをフィードバックする時に起きる可能性があり、そしてそれゆえ、品質メッセージは、２０ｍｓのような比較的大きな待機時間を許容できる。
【００２２】
差分インディケータは、高速リンク順応技術を使用するワイアレス通信システムに適用可能である。高速リンク順応技術は、受信機が最新のチャネルの状態を送信機に定常的にフィードバックすることを必要とする。差分インディケータは、ＲＬチャネルの状態をＦＬでフィードバックするためにも適用できる一方で、データサービスにおいて、リンク順応は、代表的には順方向リンクで生ずる。それゆえ、具体例の実施例は、ＲＬにおいて差分インディケータを使用してＦＬの状態について基地局に情報を供給する遠隔局を示す。理想的には、リンク品質フィードバックは、ＦＬシステム性能を最大にするために、最小の遅延で頻繁に生ずる。差分インディケータの使用は、ＲＬにおける負荷を減少し、それにより、データトラヒックに利用可能なＲＬの能力を増加する。
【００２３】
システム２０における使用に関する遠隔局２００の一部分が、図３Ａに示されている。遠隔局２００は、受信回路系２０２を含む。受信回路系２０２は、アンテナ、及び予備処理フィルタリングを含むが、これに限定されることはない。受信回路系２０２は、ＦＬにおいて遠隔局２００で受信した信号を処理する。信号は、パイロット信号を含むが、これに限定されることはない。受信回路系２０２は、品質測定ユニット２０４に接続される。品質測定ユニット２０４は、パイロット信号の品質メトリック測定値を決定する。具体例の実施例では、品質測定ユニット２０４は、受信したＦＬパイロット信号のＣ／Ｉを測定する。品質メトリック測定値、ｃｕｒ＿Ｃ＿Ｉ、は、差分分析器２０６に与えられる。差分分析器２０６は、所定の品質メッセージ期間、ＴＭＥＳＳＡＧＥ、に応答する。各品質メッセージ期間内で、差分分析器２０６は、品質メッセージを形成するためのさらなる処理のためのリンク品質インディケータとして、１つの予想したＣ／Ｉ測定値、ｐｒｏｊ＿Ｃ＿Ｉ、を供給する。さらなる処理は、リンク品質インディケータをエンコードすること、測定されたパイロット信号の送信セクタを認識するカバーの適用を含むことを、含む。残りの期間に関して、品質測定ユニット２０４は、差分分析器２０６に連続するＣ／Ｉ測定値を供給する。
【００２４】
引き続き図３Ａで、各時間の期間ＴＭＥＳＳＡＧＥの間、品質メッセージは、１回生成され、複数の差分インディケータが生成される。ここで、各々の生成された差分インディケータは、“ｄｉｆｆ”と参照される。品質メッセージ及び差分インディケータが、異なるレートで生成されることに注意する。図３Ａに示されたように、差分分析器２０６は、差分インディケータ生成のレートを制御する入力信号、ＴＤＩＦＦ、も受信する。
【００２５】
一実施例にしたがった遠隔局における差分分析器２０６の動作は、図３Ｂに詳細に示されている。図３Ｂに示された一実施例にしたがえば、遠隔局において、差分分析器２０６プロセスは、品質測定ユニット２０４からＣ／Ｉ測定値を受信することにより始まる。ここで、ｃｕｒ＿Ｃ＿Ｉは、受信信号のリンク品質測定値である。そのプロセスは、ステップ３０２において変数“ｐｒｏｊ＿Ｃ＿Ｉ”中に予想した測定値として、ｃｕｒ＿Ｃ＿Ｉ値も記憶する。ステップ３０２は、初期化ステップであり、セッションにつき１回だけ実行される。この時点で、古いＣ／Ｉ測定値は、比較に利用できない。
【００２６】
ステップ３０４において、ｐｒｏｊ＿Ｃ＿Ｉ値は、品質メッセージとして送信される。ステップ３０６において、Ｃ／Ｉは測定され、増加分差分比較のために使用される、変数“ｃｕｒ＿Ｃ＿Ｉ”に現在の測定値として記憶される。ステップ３０８において、差分分析器２０６は、ｃｕｒ＿Ｃ＿Ｉをｐｒｏｊ＿Ｃ＿Ｉと比較し、その結果としてＤＩＦＦを生成する。さらに、変数ｐｒｏｊ＿Ｃ＿Ｉは、ステップ３１０における比較にしたがって調節される。調節は、リンク品質の変化を追跡する。それゆえ、ｃｕｒ＿Ｃ＿Ｉがｐｒｏｊ＿Ｃ＿Ｉより大きいならば、ｐｒｏｊ＿Ｃ＿Ｉの値は増加され、その逆も同様に行われる。差分インディケータ、ＤＩＦＦ、は、ステップ３１２において送信される。ここで、ＤＩＦＦは、ｃｕｒ＿Ｃ＿Ｉとｐｒｏｊ＿Ｃ＿Ｉとの比較により決定されてきている。ＤＩＦＦが、リンク品質における変化の方向の指示を与えることに注意する。ある実施例では、ＤＩＦＦは、単一ビットである。ここで、正の値が増加に対応し、負の値が減少に対応する。代わりの極性スキームは、ＤＩＦＦを表わすために複数ビットと同様に与えられることができる。これは、変化の方向に加えて、変化の量の指示を与える。
【００２７】
ステップ３１４において、品質メッセージの時間の期間が終了したかを、プロセスは決定する。各品質メッセージ時間の期間内に、１つの品質メッセージが送信され、一方で、複数の差分インディケータが送信される。品質メッセージ時間の期間が終了することで、プロセスはステップ３０４に戻る。品質メッセージ時間の期間が終了するまで、プロセスはステップ３０６に戻る。このようにして、遠隔局は、全体の予想したＣ／Ｉ情報、即ち、ｐｒｏｊ＿Ｃ＿Ｉ、とともに品質メッセージを与え、連続する差分インディケータの予想したＣ／Ｉに対する変化を追跡する。ある実施例では、各差分インディケータは、所定のステップサイズに対応すると見なされることに、注意する。代わりの実施例では、差分インディケータは、いくつかの所定のステップサイズの内の１つに対応すると見なされる。他の実施例では、差分インディケータの振幅は、ステップサイズを決定する。他の実施例では、差分インディケータは、複数の情報ビットを含む。ここで、ビットは、所定のステップサイズのセットの中からステップサイズの方向及び振幅を選択するために重要性を有する。さらに他の代わりの実施例では、ステップサイズは、動的に変化できる。
【００２８】
図３Ｃは、基地局において品質メッセージ及び差分インディケータを処理する方法３５０を図示する。変数“ＱＵＡＬＩＴＹ１”は、ステップ３５２において、第１の受信された品質メッセージでデフォールト値に初期化される。デフォールト値は、初期に受信された品質メッセージに基づくことができる。そして、ステップ３５４において品質メッセージが受信されるかを、プロセスは決定する。品質メッセージを受信すると、ＱＵＡＬＩＴＹ１は、ステップ３６０で受信された品質メッセージに基づいて更新される。そして、プロセスはステップ３５４に戻る。品質メッセージが受信されずに、ステップ３５６においてＤＩＦＦが受信された場合、プロセスは、ＱＵＡＬＩＴＹ１がＤＩＦＦに基づいて調節されるステップ３５８まで継続する。そして、プロセスはステップ３５４に戻る。
【００２９】
ある実施例にしたがえば、品質メッセージは、ゲートで制御するチャネル（gated channel）に送信される。ここで、送信は、各時間の期間Ｔｍｅｓｓａｇｅに１回行われる。差分インディケータは、継続したチャネルにおいて、より高い頻度で送信される。図３Ｄに示されたように、品質メッセージ及び差分インディケータの信号強度の線図は、時間の関数としてプロットされる。品質メッセージは、時間ｔ１，ｔ２，ｔ３等において送信される。ここで、品質メッセージは、各期間Ｔｍｅｓｓａｇｅの中の他の時間では送信されない。差分インディケータは、継続して送信される。具体例の実施例では、品質メッセージは、所定の時間の区間Ｔ１の間中、送信される。差分インディケータは、時間の区間Ｔ２により分割される。理想的には、Ｔ２はＴ１より大きい。ここで、差分インディケータは、品質メッセージの送信のための時間の区間Ｔ１の間には送信されない。このようにして、基地局は、差分インディケータ及び品質メッセージを同一の所定の時間に受信しない。実際には、差分インディケータが、時間において品質メッセージとオーバーラップするならば、基地局は、品質メッセージを使用する。
【００３０】
品質メッセージ及び差分インディケータは、基地局にフィードバックを与える。図３Ｄは、品質メッセージ及び差分インディケータが個別に独立して発生するように示しているが、品質メッセージは、長時間に渡り送られることができ、複数の送信間でオーバーラップを生ずる。
【００３１】
ある実施例では、品質メッセージは、エンコードされ、送信されることができる。ここで、Ｃ／Ｉメッセージは、非常にゆっくりと処理される。そして、品質メッセージは受信され、基地局においてさらに後でデコードされるはずである。基地局は、差分インディケータを効率的に次々に送り込み、計算経路の他の経路で送り返すことができる。そして、メッセージが遠隔局によりエンコードされ送信される時に、予想した測定値を見つけるために戻ることができる。品質メッセージが誤った計算、即ち、差分インディケータを適用した後の結果、を示したことを、基地局が見つければ、結果は、品質メッセージにしたがって調節される。例えば、予想した測定値が、＋２ｄＢだけずれていた場合、現在の予想した測定値は、２ｄＢだけ増加される。
【００３２】
一つのシナリオが、図４Ｂに示されており、以降で議論される。図４Ａは、基地局において、受信した品質メッセージ及び差分インディケータを処理する代わりの方法４００を図示する。ここで、品質メッセージと差分インディケータとの間で、オーバーラップが生ずることがある。２つの変数、ＱＵＡＬＩＴＹ１及びＱＵＡＬＩＴＹ２、は、ステップ４０２において第１の受信された品質メッセージで初期化される。品質メッセージを受信の間、移動局においてリンク品質測定の開始時にＱＵＡＬＩＴＹ１に記憶された値は、品質メッセージが完全に受信されるまで変化せずに維持される。これは、品質メッセージの期間に受信されるいかなるＤＩＦＦの調節を許容する。プロセス４００は、ステップ４０４においてリンク品質測定値の受信が開始されたかを決定する。基地局は、遠隔局におけるリンク品質測定のスケジューリングのプリオリ(priori)知識を有する。品質測定が開始されないならば、プロセスは、ステップ４０６まで続き、ＤＩＦＦが受信されたかを判断する。ＤＩＦＦが受信されないならば、処理はステップ４０４に戻る。そうでなければ、ＱＵＡＬＩＴＹ１及びＱＵＡＬＩＴＹ２は、ステップ４０８においてＤＩＦＦに基づいて調節され、そして、処理はステップ４０４に戻る。それに加えて、ステップ４０８において、ＱＵＬＩＴＹ２の値は、送信のスケジュールの実施のためにスケジューラに与えられる。ステップ４０４から、品質メッセージが開始されるならば、ＤＩＦＦが品質メッセージの間受信されたか、即ち、ＤＩＦＦと品質メッセージが両方同時に基地局により受信されたかを、ステップ４１０は決定する。品質メッセージの期間にＤＩＦＦが受信されないならば、プロセスはステップ４１４に続き、品質メッセージが終了したかを判断する。品質メッセージの期間にＤＩＦＦが受信されたならば、ＱＵＡＬＩＴＹ２は、ステップ４１２においてＤＩＦＦに基づいて調節される。さらにステップ４１２において、ＱＵＡＬＩＴＹ２の値は、送信のスケジュールの実施のためにスケジューラに供給される。ステップ４１４において品質メッセージが終了していなければ、処理はステップ４１０に戻る。そうでなければ、受信した品質メッセージとＱＵＡＬＩＴＹ１との違いは、ステップ４１６においてＤＥＬＴＡ、Δ、に等しく設定される。ＤＥＬＴＡは、基地局においてリンク品質計算を訂正するために使用される。基地局において品質メッセージの受信の間に受信されるＤＩＦＦ値の前に、品質メッセージが遠隔局から送信されるので、ＤＥＬＴＡは、訂正された値にこれらのＤＩＦＦ値の適用を認める。ＱＵＡＬＩＴＹ２は、品質メッセージの受信の期間に受信されるＤＩＦＦを処理することの結果を訂正するために、ステップ４１８においてＤＥＬＴＡだけ調節される。さらにステップ４１８において、ＱＵＡＬＩＴＹ２値は、送信のスケジュールの実施のためにスケジューラに与えられる。ステップ４２０において、ＱＵＡＬＩＴＹ１は、ＱＵＡＬＩＴＹ２に等しく設定され、同期が完了する。そして、処理は、ステップ４０４に戻る。
【００３３】
図４Ｂ及び図４Ｃは、品質メッセージ及びＤＩＦＦの基地局における受信を、タイミング線図の形式で図示したものである。図示されたように、時刻ｔ１の直前では、ＱＵＡＬＩＴＹ１及びＱＵＡＬＩＴＹ２の値は、Ａに等しい。品質メッセージ受信は、時刻ｔ１において始まる。それから、ＤＩＦＦは、時刻ｔ２からｔ６において図４Ｃの表に示された値で受信される。各受信されたＤＩＦＦに対して、ＱＵＡＬＩＴＹ２値は、それに応じて調節されるが、ＱＵＡＬＩＴＹ１は、変化せずに残ることに注意する。時刻ｔ７において、品質メッセージは終了し、ＱＵＡＬＩＴＹ１をＢに等しく設定する。値Ｂは、時刻ｔ１において若しくはその前に遠隔局から送信された品質メッセージの値である。変数ＱＵＡＬＩＴＹ２は、その後、差（Ｂ−Ａ）にしたがって調節される。差は、時刻ｔ８においてＱＵＡＬＩＴＹ２の値に加えられる。このようにして、基地局は、ＱＵＡＬＩＴＹ２の訂正された値を有する。
【００３４】
図５は、基地局においてフィードバック情報を処理する、ある実施例で使用された方法６００を図示する。ステップ６０２において、基地局は、移動局から品質メッセージを受信する。ここで、品質メッセージは、ＦＬパイロット信号強度に関係する。受信された品質メッセージは、ステップ６０４においてメモリ記憶装置に記憶される。基地局は、ステップ６０６において、受信した品質メッセージをスケジューラに供給する。データ通信に関して、スケジューラは、送信及び／若しくは受信するデータを有する全てのアクセスターミナルから基地局に良好で調和したアクセスを与える責任がある。アクセスターミナルのスケジューリングは、種々の方法のいずれかで実行されることができる。そして、スケジューラは、ステップ６０８においてスケジュールを実施する。品質メッセージに加えて、基地局は、ステップ６１０において差分インディケータ、ＤＩＦＦ、を受信する。基地局は、ＦＬチャネルの品質を追跡するために、ステップ６１２において、記憶された品質メッセージに差分インディケータを適用する。このようにして、基地局は、アクセスターミナルの受信機において見られるようなＦＬチャネルの状態及び品質を知らせられる。このプロセスは、ステップ６１４においてスケジュールを実施するために、スケジューラに品質メッセージを供給する。プロセスは、ステップ６１６において品質メッセージが受信されたかを決定する。
【００３５】
図５を続けて、次の品質メッセージが受信されなければ、即ち、現在システムが図５の時刻ｔ１とｔ２との間の時間にあるならば、処理は、次の差分インディケータをステップ６１０において受信するために戻る。しかし、品質メッセージがステップ６１６において受信されるならば、プロセスは、品質メッセージをメモリに記憶させるためにステップ６０４に戻る。記憶された品質メッセージは、各々の差分インディケータの発生で調節される。記憶された品質メッセージは、ある品質メッセージの発生で置き換えられる。
【００３６】
リンク品質フィードバック方法は、データ及び音声システムのようなパケットスイッチされた通信システムに適用できる。パケットスイッチされたシステムでは、データは決められた構造及び長さを有するパケットで送信される。送信の増幅を調節するために出力制御を使用することよりむしろ、これらのシステムは、リンクの品質に応じてデータレート及び変調スキームを調節する。例えば、音声及びデータシステムでは、データ送信に利用可能な送信出力は、決められていない若しくは制御されていない。むしろ、音声送信を満足させた後で残されている利用可能な出力として動的に計算される。図６に図示された逆方向リンクを有する具体例のシステムは、品質メッセージ及び差分インディケータをそれぞれ送信するためにデータレート制御及び付加的なサブチャネルを使用する。図示されたように、逆方向リンク、若しくは逆方向チャネルは、２種類の論理チャネル：アクセス及びトラヒック、を有する。アクセスチャネルは、パイロット及びデータのためのサブチャネルを含む。ここで、アクセスチャネルは、トラヒックチャネルが稼動していない間に使用される。トラヒックチャネルは、パイロット、媒体アクセス制御(Medium Access Control)、ＭＡＣ、アクノレッジ(Acknowledge)、ＡＣＫ、及びデータのサブチャネルを含む。ＭＣＡは、さらに逆方向レートインディケータ及びデータレート制御、ＤＲＣ、を送信するためのサブチャネルを含む。ＤＲＣ情報は、ＦＬの品質を測定すること、及び保留中のデータ送信の受信に関して対応するデータレートを要求することによって、遠隔局若しくはアクセスターミナルにより計算される。リンクの品質を計算する方法、及び対応するデータレートを決定する方法は、複数ある。
【００３７】
ある実施例にしたがえば、差分インディケータは、逆方向レートインディケータチャネルで継続的に送信される、一方で、品質メッセージは、ＤＲＣチャネルで送信される。対応するデータレートは、代表的には表により決定される。表は、利用可能な及び／若しくは適切なデータレート、変調及びエンコーディング、パケット構造、及び再送信ポリシーを認識する。ＤＲＣメッセージは、仕様の適切な組み合わせを認識するインデックス(index)である。リンク品質測定に応じて、利用可能なデータレートの増加は、インデックスの増加である。利用可能なデータレートの減少は、インデックスの減少分である。ＤＲＣメッセージは、送信の前にエンコードされる。ＤＲＣカバーは、測定されたＦＬ信号、代表的にはＦＬパイロット、のセクタを認識するために適用される。
【００３８】
種々のタイミングシナリオが、図７に図示されている。第１のシナリオでは、ＤＲＣ情報は、継続的に送信される。ここで、１つのＤＲＣメッセージは、受信の精度を上げるために繰り返し送信されることができる。図示されたように、ＤＲＣ（ｉ）は４スロットメッセージである。ここで、メッセージＤＲＣ（ｉ）は、時間スロットＡ，Ｂ，Ｃ及びＤで送信される。４スロットメッセージは、時間の期間ＴＤＲＣの間に送信される。時間スロットＤに引き続き、次のメッセージ、ＤＲＣ（ｉ＋１）が送信される。時間スロットＡの前に、前のメッセージ、ＤＲＣ（ｉ−１）が送信されていた。このシナリオでは、品質メッセージは、ＤＲＣメッセージに暗黙のうちに含まれており、継続的に送信される。このシナリオは、バンド幅を浪費し、その結果、逆方向リンクの能力を減少する。第２のシナリオでは、ＤＲＣメッセージは、ＴＤＲＣの間に１回ゲートで制御するチャネル、ＤＲＣチャネル、に送信される。差分インディケータは、Ｔｄｉｆｆの期間を有する継続的なサブチャネルに送信される。差分インディケータは、ＤＲＣメッセージのインデックスの増加若しくは減少である。このようにして、差分インディケータがコード化されないビット若しくは複数ビットであるように迅速に、アクセスネットワークは、利用可能なデータレート等を、正確に追跡できる。品質メッセージ及び差分インディケータは、ＦＬに関してここで述べてきたが、それぞれ、ＲＬにも同様に適用できる。
【００３９】
図８は、一実施例にしたがったデータレート制御テーブルを示す。示されたように、左端の列は、ＤＲＣメッセージをリストしたものである。ＤＲＣメッセージは、送信パラメータの組み合わせを認識する実効的なコードである。中央の列は、ｋｂｐｓで表わしたデータレートに対応する。最後の列は、時間スロットで表わしたパケット長をリストしたものである。各ＤＲＣメッセージは、これらの送信パラメータの組み合わせに対応し、変調手法、エンコーディングタイプ、パケット構造、及び／若しくは再送信ポリシーを同様に含むことができるが、これらに限定されることはない。図８に示された実施例において、第１のＤＲＣメッセージは、ゼロデータレートを選択することに注意する。ゼロデータレートは、システム中の他のプロセスで使用される。さらに、いくつかのＤＲＣメッセージは、利用できない若しくは無効である送信パラメータセットに対応する。これらのセットは、後で開発されたシステムに割り当てられることができ、若しくはシステム中の他の機能で使用されることができる。
【００４０】
代わりの実施例では、品質メッセージは、各送信のプリアンブル(preamble)に含まれる。差分インディケータは、継続するサブチャネルで送信される。差分インディケータは、送信された通信により経験されたチャネル品質を正確に追跡することで送信機を助けるためにある頻度で与えられる。
【００４１】
図８のＤＲＣテーブルを利用するパケットスイッチされたシステムの一実施例が、図９に図示されている。アクセスターミナルの一部分５００は、ＤＲＣ計算ユニット５０４に接続されたＤＲＣテーブル５０２を含む。ＤＲＣ計算ユニット５０４は、パケットスイッチされたシステム中でＦＬ信号を受信する。ＤＲＣ計算ユニット５０４は、チャネル品質メトリックを決定するために受信信号を分析する。品質メトリックは、データレートである。ＤＲＣ計算ユニット５０４は、ＤＲＣテーブル５０２から送信パラメータセットを選択する。ここで、セットは、ＦＬに関する利用可能な計算されたデータレートに対応する。そのセットは、対応するＤＲＣメッセージにより認識される。
【００４２】
ＤＲＣ計算ユニット５０４は、測定されたＤＲＣを差分分析器５０６に与える。差分分析器５０６は、各ＤＲＣ時間の期間、ＴＤＲＣ，毎に１回、全送信に対する予想したＤＲＣメッセージを生成する。予想したＤＲＣメッセージ送信の全体は、ＴＤＲＣにしたがってゲートで制御される。さらに、差分分析器５０６は、差分インディケータを生成するために使用される、差分時間期間信号、ＴＤｉｆｆ、を受信する。
【００４３】
連続する現在のＤＲＣ値は、ＤＲＣテーブル５０２のインデックスに関して予想したＤＲＣ値に比較される。差分分析器５０６は、比較に応じて差分インディケータを出力する。差分インディケータは、ＤＲＣテーブル５０２中の隣接する記載事項（entry）を指す増加ポインタである。連続するＤＲＣメッセージが、所定方向に以前のＤＲＣメッセージからの増加であるならば、差分インディケータは、その方向を指す。それゆえ、差分インディケータは、ＤＲＣテーブル５０２中の動きを追跡する。このようにして、ＦＬ送信機は、ＦＬチャネル品質の継続的な情報を受信する。それにより、送信パラメータは、評価され及び／若しくは調節されることができる。フィードバック情報は、システムにおいてパケットスイッチされた通信のスケジューリングに適用できる。定期的なＤＲＣメッセージ送信は、ＦＬ送信機と受信機との間での同期を与え、不正確に受信された差分インディケータによって生成された誤りの情報を与える。
【００４４】
それに加えて、パケットスイッチされたシステムにおける差分インディケータは、単に遠隔局がフィードバックを生成するより以上の効果を及ぼすことができるフィードバックを与える。アクセスネットワークは、複数のユーザに対して、ポリシーを与えることと同様に、スケジューリングポリシーを決定するために、フィードバック情報を使用できる。このようにして、フィードバック情報は、送信システム全体を最適化するために使用されることができる。
【００４５】
ここまでに述べたように、品質メッセージの定期的な送信は、遠隔局と基地局を同期させる。代わりの実施例では、基地局は、ＦＬにおける基地局において計算された、予想したＣ／Ｉを送信する。遠隔局は、基地局から予想したＣ／Ｉを受信し、基地局と再同期させる。送信は、コード化されたメッセージ、若しくは所定の出力レベルで送信された信号であり得る。例えば、送信は、専用のパイロット若しくはＰＣビットであり得る。
【００４６】
リンク品質フィードバックを供給することに加えて、遠隔局は、セクタを指示することができ、そのセクタは、カバー若しくはスクランブリングコードを、品質メッセージ及び／若しくは差分インディケータに適用することにより、現在モニタされようとしている。カバーは、測定されたパイロット信号のセクタを認識する。ある実施例では、システム中の各セクタは、スクランブリングコードを割り当てられる。スクランブリングコードは、基地局及び遠隔局のプリオリ知識である。
【００４７】
情報及び信号が、種々の異なる技術及び手法のいずれかを使用して表わされることを、本技術分野に知識のある者は、理解するであろう。例えば、前記の記述を通して示される、データ、指示、命令、情報、信号、ビット、シンボル、及びチップは、電圧、電流、電磁波、磁場若しくは磁力粒子、光場若しくは光粒子、若しくはこれらの任意の組み合わせによって表わされる。
【００４８】
各種の解説的な論理ブロック、モジュール、回路、及びここに開示された実施例に関連して記述されたアルゴリズムステップが、電子ハードウェア、コンピュータソフトウェア、若しくは両者の組み合わせとして実施できることを、知識のある者は、さらに価値を認めるであろう。ハードウェア及びソフトウェアのこの互換性をはっきりと説明するために、各種の解説的な構成要素、ブロック、モジュール、回路、及びステップは、一般的に機能性の面からこれまでに記述されてきた。そのような機能性が、ハードウェア若しくはソフトウェアとして実行されるか否かは、個々の応用及びシステム全体に課せられた設計の制約に依存する。熟練した職人は、述べられた機能性を各個人の応用に対して違ったやり方で実施する。しかし、そのような実施の決定は、本発明の範囲から離れては説明されない。
【００４９】
ここに開示された実施例に関連して述べられた、各種の解説的な論理ブロック、モジュール、及び回路は、汎用プロセッサ、デジタルシグナルプロセッサ（ＤＳＰ）、アプリケーションスペシフィック集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェア素子、若しくはここに記述した機能を実行するために設計されたこれらのいかなる組み合わせを、実施若しくは実行できる。汎用プロセッサは、マイクロプロセッサでよく、しかし代わりとして、プロセッサは、いかなる従来のプロセッサ、コントローラ、マイクロコントローラ、若しくはステートマシン(state machine)であってもよい。プロセッサは、演算デバイスの組み合わせとして実施できる。例えば、ＤＳＰとマイクロプロセッサの組み合わせ、複数のマイクロプロセッサ、ＤＳＰコアと結合した１若しくはそれより多くのマイクロプロセッサ、若しくはそのようないかなる他の構成であってもよい。
【００５０】
ここに開示された実施例に関連して述べられた方法のステップ若しくはアルゴリズムは、ハードウェアにおいて、プロセッサにより実行されるソフトウェアモジュールにおいて、若しくは、両者の組み合わせにおいて直接実現できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくは、この分野で知られている他のいかなる記憶媒体の中に存在できる。ある具体例の記憶媒体は、プロセッサが記憶媒体から情報を読み出し、そこに情報を書き込めるようなプロセッサと接続される。その代わりのものでは、記憶媒体は、プロセッサに集積できる。プロセッサ及び記憶媒体は、ＡＳＩＣ中に存在できる。ＡＳＩＣは、ユーザ端末中に存在できる。この代わりのものでは、プロセッサ及び記憶媒体は、ユーザ端末中に単体の構成部品として存在できる。
【００５１】
開示された実施例のこれまでの説明は、本技術分野に知識のあるいかなる者でも、本発明を作成し、使用することを可能にする。これらの実施例の各種の変形は、本技術分野に知識のある者に、容易に実現されるであろう。そして、ここで定義された一般的な原理は、本発明の精神及び範囲から逸脱しないで、他の実施例にも適用できる。それゆえ、本発明は、ここに示された実施例に制限することを意図したものではなく、ここに開示した原理及び卓越した特性と整合する広い範囲に適用されるものである。
【図面の簡単な説明】
【００５２】
【図１】ワイアレス通信システムの線図である。
【図２】ワイアレス通信システムにおける逆方向チャネル構造の線図である。
【図３Ａ】ワイアレス通信システムにおける遠隔局の線図である。
【図３Ｂ】ワイアレスシステムにおいて遠隔局からのリンク品質フィードバックを生成する方法のフロー線図である。
【図３Ｃ】ワイアレスシステムにおいて基地局におけるリンク品質フィードバックを処理する方法のフロー線図である。
【図３Ｄ】ワイアレスシステムにおけるリンク品質フィードバックを図示するタイミング線図である。
【図４Ａ】ワイアレス通信システムにおいて基地局におけるリンク品質フィードバックの代わりの方法のフロー線図である。
【図４Ｂ】図４Ｂは、ワイアレスシステムにおいてリンク品質フィードバックを図示するタイミング線図である。
【図４Ｃ】図４Ｃは、ワイアレスシステムにおいてリンク品質フィードバックの間の変数をトラッキングする表である。
【図５】図５は、ワイアレス通信システムにおいて基地局に対するリンク品質フィードバックの方法のフロー線図である。
【図６】図６は、ワイアレス通信システムにおける逆方向リンク構造の線図である。
【図７】図７は、ワイアレス通信システムにおけるリンク品質フィードバックのタイミング線図である。
【図８】図８は、パケットスイッチされた通信に対して適用できるデータレート制御テーブルの線図である。
【図９】図９は、パケットスイッチされた通信システムにおける遠隔局の一部分の線図である。
【図１】
0004723617.tif 000002
【図２】
0004723617.tif 000003
【図３Ａ】
0004723617.tif 000004
【図３Ｂ】
0004723617.tif 000005
【図３Ｃ】
0004723617.tif 000006
【図３Ｄ】
0004723617.tif 000007
【図４Ａ】
0004723617.tif 000008
【図４Ｂ】
0004723617.tif 000009
【図４Ｃ】
0004723617.tif 000010
【図５】
0004723617.tif 000011
【図６】
0004723617.tif 000012
【図７】
0004723617.tif 000013
【図８】
0004723617.tif 000014
【図９】
0004723617.tif 000015